(57)【要約】【課題】一般的な材質及びコストで製作可能であって、且つ棒状化粧用具ないし化粧品の収納位置及び／又は収納姿勢が安定した状態で収納可能な棒状化粧用具ないし化粧品用包装箱を提供すること。【解決手段】棒状化粧用具ないし化粧品を収納すると共に、該棒状化粧用具ないし化粧品の少なくとも一部を外部から透視確認可能な透視窓部を有する包装箱において、収納した棒状化粧用具ないし化粧品を前記透視窓部方向に押圧して該棒状化粧用具ないし化粧品の収納位置及び／又は収納姿勢を安定させる押圧舌部を有し、該押圧舌部は包装箱開口部の蓋板の差込片を延伸して形成されていることを特徴とする棒状化粧用具ないし化粧品用包装箱である。【選択図】  図１
2004291980.tif 000002
【特許請求の範囲】
【請求項１】
棒状化粧用具ないし化粧品を収納すると共に、該棒状化粧用具ないし化粧品の少なくとも一部を外部から透視確認可能な透視窓部を有する包装箱において、
収納した棒状化粧用具ないし化粧品を前記透視窓部方向に押圧して該棒状化粧用具ないし化粧品の収納位置及び／又は収納姿勢を安定させる押圧舌部を有し、該押圧舌部は包装箱開口部の蓋板の差込片を延伸して形成されていることを特徴とする棒状化粧用具ないし化粧品用包装箱。
【請求項２】
前記押圧舌部は可撓性を有し、該押圧舌部の先端と根元との中間にくの字状の折曲部が形成されていることを特徴とする請求項１に記載の棒状化粧用具ないし化粧品用包装箱。
【請求項３】
前記押圧舌部は可撓性を有し、該押圧舌部の先端と根元との中間に折返部が形成されていることを特徴とする請求項１に記載の棒状化粧用具ないし化粧品用包装箱。
【発明の詳細な説明】
【０００１】
【発明の属する技術分野】
本発明は棒状化粧用具ないし化粧品用包装箱に関し、詳しくはアイライナーや口紅等の棒状形態の化粧用具ないし化粧品を収納する包装箱に関する。
【０００２】
【従来の技術】
従来、棒状化粧用具ないし化粧品等のような棒状収納物のガタつきを防止した包装箱としては様々なものが提案されている。
【０００３】
例えば、包装箱の構成壁の一つを包装箱内に屈曲延長し、該屈曲延長した部分の先端が棒状収納物の首肩部分を押えることで包装箱の軸線方向への棒状収納物の移動を防止する技術が知られている（特許文献１参照。）。
【０００４】
また、包装箱の構成壁の一つを包装箱内に屈曲延長して押え板を形成し、該押え板に補強板を添着して棒状収納物の一部表面を押える技術が知られている（特許文献２参照。）。
【０００５】
【特許文献１】
特開２００１−３３５０２３号公報
【特許文献２】
実開平６−７６０３６号公報
【０００６】
【発明が解決しようとする課題】
棒状収納物としてアイライナー等の化粧品のための包装箱としては、内容物の存在が外部から透視確認（観察）できるだけでなく、商品としての美的高級感等も重要であるため、商品名やブランドロゴが記された正面部分が包装箱正面の透視窓部に常に向けられていることが望ましい。
【０００７】
しかし、特許文献１に記載の技術によれば、包装箱の軸線方向のガタつきは防止できるが、軸線に直交する方向へ収納位置がズレてしまったり、軸線を回転軸とする回転によって棒状収納物の向き（収納姿勢）が変わってしまうことを防止できないという問題点を有している。
【０００８】
特許文献２に記載の技術によれば、押え板の押圧力を確保するためには包装箱本体及び押え板の材質として、一般的に用いられている包装箱よりも強度の強いものを用いなければならないので材質及びコスト面での制約があるという問題点を有している。
【０００９】
従って本発明の課題は、一般的な材質及びコストで製作可能であって、且つ棒状化粧用具ないし化粧品の収納位置及び／又は収納姿勢が安定した状態で収納可能な棒状化粧用具ないし化粧品用包装箱を提供することにある。
【００１０】
【課題を解決するための手段】
上記本発明の課題は下記構成によって達成される。
【００１１】
１．棒状化粧用具ないし化粧品を収納すると共に、該棒状化粧用具ないし化粧品の少なくとも一部を外部から透視確認可能な透視窓部を有する包装箱において、
収納した棒状化粧用具ないし化粧品を前記透視窓部方向に押圧して該棒状化粧用具ないし化粧品の収納位置及び／又は収納姿勢を安定させる押圧舌部を有し、該押圧舌部は包装箱開口部の蓋板の差込片を延伸して形成されていることを特徴とする棒状化粧用具ないし化粧品用包装箱。
【００１２】
２．前記押圧舌部は可撓性を有し、該押圧舌部の先端と根元との中間にくの字状の折曲部が形成されていることを特徴とする上記１に記載の棒状化粧用具ないし化粧品用包装箱。
【００１３】
３．前記押圧舌部は可撓性を有し、該押圧舌部の先端と根元との中間に折返部が形成されていることを特徴とする上記１に記載の棒状化粧用具ないし化粧品用包装箱。
【００１４】
【発明の実施の態様】
以下、本発明の詳細について説明する。
【００１５】
図１は本発明に係る棒状化粧用具ないし化粧品用包装箱の一実施例を示す一部切欠側面図、図２は押圧舌部を有する蓋体を開放した状態を示す側面図、図３〜図５は本発明に係る棒状化粧用具ないし化粧品用包装箱の他の実施例を示す一部切欠側面図である。
【００１６】
図１において、１は本発明に係る棒状化粧用具ないし化粧品用包装箱（単に包装箱ということもある。）であり、アイライナー等の化粧品に代表される棒状化粧用具ないし化粧品２を収納する物である。包装箱１の材質としては、紙（各種ラミネート加工されたもの等を含む）、合成樹脂製など、この種の包装箱として公知公用のもので形成される。
【００１７】
包装箱１は棒状化粧用具ないし化粧品２を単に収納するだけでなく、該棒状化粧用具ないし化粧品２の少なくとも一部が包装箱１の外部から透視確認可能な透視窓部１０を有する。透視窓部１０は、包装箱１の一部分に窓部を形成し、該窓部に透明フィルムないしシートを添着した構成としてもよいし、或いは包装箱１の一部ないし全部を透明材料で形成して透視窓部１０を構成してもよい。
【００１８】
包装箱１は、収納した棒状化粧用具ないし化粧品２を前記透視窓部１０の方向（図１のＸ方向）に押圧して該棒状化粧用具ないし化粧品２の収納位置及び／又は収納姿勢を安定させる押圧舌部１１を有する。押圧舌部１１の押圧によって、棒状化粧用具ないし化粧品２は包装箱１内において安定した状態で収納され、軸方向・軸に直交する方向・軸を回転軸とする回転方向にズレたりガタついたりすることを防止することができる。
【００１９】
押圧舌部１１は包装箱１の開口部１２の蓋板１３の差込片１４を延伸して形成されている。また、押圧舌部１１は可撓性を有し、該押圧舌部１１の先端と根元との中間にくの字状の折曲部１５が形成されている。かかる押圧舌部１１の構成、即ち、折曲部１５及び可撓性によって、棒状化粧用具ないし化粧品２が包装箱１内において透視窓部１０方向に押圧されることになる。棒状化粧用具ないし化粧品２への押圧位置としては、該棒状化粧用具ないし化粧品２の重心部分であること、或いはキャップ付き化粧用具ないし化粧品の場合、このキャップ側を包装箱開口部に位置させ、このキャップを押圧する態様が好ましい。
【００２０】
上記構成を有する包装箱１は、この種の包装箱に用いられる公知公用の一般的な材質によって製造することができ、強度を高めたり特別な素材を用いることなく本発明の構成を適用できるので材質及びコストでの制約を受けることなく製造することができる。
【００２１】
以上、本発明に係る棒状化粧用具ないし化粧品用包装箱の実施例について説明したが、本発明は上記実施例に限定されず、例えば、下記するような他の態様を採ることもできる。
【００２２】
図１及び図２に示す実施例では、押圧舌部１１の折曲部１５が該押圧舌部１１の先端と根元の中央付近に設けられているが、本発明はこれに限定されず、先端近傍に設けられていてもよいし（図３参照）、根元近傍に設けられていてもよい。
【００２３】
また、押圧舌部１１の長さも図１及び図２に示す実施例に限定されず、短くてもよい（図４参照）。
【００２４】
さらに押圧舌部１１は、図１及び図２に示す実施例並びに図３及び図４に示す他の実施例の折曲部１５を有する構成に限定されず、押圧舌部１１の先端と根元との中間に折返部１６が形成されていてもよい（図５参照）。
【００２５】
尚、押圧舌部１１の表面には、棒状化粧用具ないし化粧品２の使用方法や効能等の各種説明文等が印刷された表示欄が設けられていてもよい。
【００２６】
【発明の効果】
本発明によれば、一般的な材質及びコストで製作可能であって、且つ棒状化粧用具ないし化粧品の収納位置及び／又は収納姿勢が安定した状態で収納可能な包装箱を提供することができる。
【図面の簡単な説明】
【図１】本発明に係る棒状化粧用具ないし化粧品用包装箱の一実施例を示す一部切欠側面図
【図２】押圧舌部を有する蓋体を開放した状態を示す側面図
【図３】本発明に係る棒状化粧用具ないし化粧品用包装箱の他の実施例を示す一部切欠側面図
【図４】本発明に係る棒状化粧用具ないし化粧品用包装箱の他の実施例を示す一部切欠側面図
【図５】本発明に係る棒状化粧用具ないし化粧品用包装箱の他の実施例を示す一部切欠側面図
【符号の説明】
１  棒状化粧用具ないし化粧品用包装箱
１０  透視窓部
１１  押圧舌部
１２  開口部
１３  蓋板
１４  差込片
１５  折曲部
１６  折返部
２  棒状化粧用具ないし化粧品
【図１】
2004291980.tif 000003
【図２】
2004291980.tif 000004
【図３】
2004291980.tif 000005
【図４】
2004291980.tif 000006
【図５】
2004291980.tif 000007